(57)【要約】      （修正有）【課題】鞄やバックの底部に簡単に取り付けることができ、傘の太さに合わせて環状に固定が可能な鞄用雨傘ホルダーを提供する。【解決手段】ホルダーとして上・下からなる長手形状の傘押え部本体２と該本体と接合する接合部本体３とから構成することによって、傘１の太さに合わせて環状に固定可能な新規な鞄用雨傘ホルダーとすることができた。【選択図】図３
0003102724.tif 000002
【実用新案登録請求の範囲】
【請求項１】
長手形状の雨傘ホルダーにおいて、
上・下からなる傘押え部本体と該本体と接合する接合部本体とからなり、
前記傘押え部本体は、端部が鞄やバック等に固着されると共に他端部の裏面が、前記接合部本体の表面の接合受け部とで接合可能な鞄用雨傘ホルダー。
【請求項２】
前記接合部の横幅は、前記傘押え部本体の横幅の少なくとも半分以上であって、その表面に接合受け部を表面全面に、あるいは任意の箇所に設けてあることを特徴とする請求項１記載の鞄用雨傘ホルダー。
【請求項３】
前記傘押え部の端部及び前記接合部本体の接合手段は、ホック係合、テープ接合の何れかであることを特徴とする請求項１乃至請求項２記載の鞄用雨傘ホルダー。
【請求項４】
前記傘押え部の端部及び前記接合部本体の裏面側を接着剤又は縫着することにより鞄等の底部に固着することを特徴とする請求項１乃至請求項３記載の鞄用雨傘ホルダー。
【考案の詳細な説明】
【技術分野】
【０００１】  本考案は、バスや電車等の運送機関内で使用する雨傘ホルダーに関し、更に詳しくは、鞄やバック等（以下、鞄という）の底部に簡易に取付が簡単な鞄用雨傘ホルダーに関するものである。
【従来技術】
【０００２】  鞄等に傘を固定する手段として、実開昭５５−１１４２２６号公報「手さげ式カバン」に開示されるように、「傘のような棒状物を鉛直方向に把持できる固定片をカバンの側面に設けた手提げ式カバン」が知られている。
【０００３】  また、登録実用新案第３０５２７９０号「外面に補足具を具備した鞄」には、「鞄の外面の一部、又は複数箇所に補足具を設けた鞄」が開示されている。
【０００４】  さらに、実開平６−６４５１９号「着席状態で膝の上に置かれた鞄に雨傘を固定する簡易雨傘ホルダー」には、ベルトを傘にマジックテープ（登録商標）ベルクロ（登録商標）やスナップを用いて、脱着可能な状態で巻き、そのベルトの外側を鞄の外側の適当な位置に、同様にマジックテープ（登録商標）ベルクロ（登録商標）やスナップを用いて結合させている。
【特許文献１】実開昭５５−１１４２２６号
【特許文献２】登録実用新案第３０５２７９０号
【特許文献３】実開平６−６４５１９号
【考案の開示】
【考案が解決しようとする課題】
【０００５】  従来の鞄やバックに取付けられた雨傘ホルダーは、鞄等の側面や底部に予め縫着されて固定されていたため、傘の太さに合った使用時の自由がきかなかった。【０００６】  また実開平６−６４５１９号公報で開示する脱着タイプの雨傘ホルダーは、ベルト自体で雨傘を環状に固定することはできるが、環状に固定した状態で鞄やバックに取付ける際に剥がれやすいという欠点を有していた。【０００７】  従って、使用前は雨傘ホルダー自体として購入でき、試用者の使用する鞄やバック等の任意の箇所に簡易に取付可能で、さらに接着効果に優れた新規な雨傘ホルダーの開発が望まれていた。
【課題を解決するための手段】
【０００８】  本考案者は、係る課題を解決するために鋭意研究したところ、ホルダーを上・下からなる傘押え部本体と該本体と接合する接合部本体とで構成することによって、傘の太さに合わせて環状に固定可能な新規な鞄用雨傘ホルダーを商品化することができた。【０００９】  すなわち本考案の第一は、長手形状の雨傘ホルダーにおいて、
上・下からなる傘押え部本体と該本体と接合する接合部本体とからなり、
前記傘押え部本体は、端部が鞄やバック等に固着されると共に他端部の裏面が、前記接合部本体の表面の接合受け部とで接合可能な鞄用雨傘ホルダーである。【００１０】  本考案の第二は、前記接合部の横幅は、前記傘押え部本体の横幅の少なくとも半分以上であって、その表面に接合受け部を表面全面に、あるいは任意の箇所に設けてあることを特徴とする請求項１記載の鞄用雨傘ホルダーである。【００１１】  本考案の第三は、前記傘押え部の端部及び前記接合部本体の接合手段は、ホック係合、テープ接合の何れかであることを特徴とする請求項１乃至請求項２記載の鞄用雨傘ホルダーである。【００１２】  本考案の第四は、前記傘押え部の端部及び前記接合部本体の裏面側を接着剤又は縫着することにより鞄等の底部に固着することを特徴とする請求項１乃至請求項３記載の鞄用雨傘ホルダーである。
【考案の効果】
【００１３】  本考案の鞄用雨傘ホルダーは、不使用時は鞄の底部に沿って平行に取付けられ、雨天時に濡れた傘を上記鞄用雨傘ホルダーで環状に固定できるために、着席時に傘を固定した後は左右の持ち手が自由になるために、新聞や雑誌等を読むことができ、又他人へ濡れた傘を付着させることの無いホルダーである。
【考案を実施するための最良の形態】
【００１４】  本考案の鞄用雨傘ホルダーを図面をもって説明するが、本考案の範囲はこれらに限定されるものではない。
【実施例１】
【００１５】  図１は、本考案の鞄用雨傘ホルダーを鞄底部に取付けた状態を説明する説明図である。本考案の鞄用雨傘ホルダーは、ホルダーとして上・下からなる長手形状の傘押え部本体２と該本体と接合する接合部本体３とから構成される。【００１６】  長手形状の傘押え部本体２と該本体と接合する接合部本体３は、図２及び図３に示されるように、長手形状の傘押え部本体２の端部が鞄等の底部に接着剤で、あるいは予め縫着しておいて固定すると共に、傘押え部本体２の裏面にはマジックテープ（登録商標）や雄ホック等を接合部材として取付けておく。【００１７】  なお、図１においては長手形状の傘押え部本体２としてあるが、傘を巻付ける側の縦幅を大きくとって傘の固定を更に容易にすることも当然に可能である。【００１８】  一方の接合部本体３は、前記傘押え部本体２の横幅の半分以上の幅を有して、傘押え部本体２の先端に設けたマジックテープ（登録商標）や雌ホック等で接合受け部６を構成し、任意の箇所で雨傘７を環状的に巻くようになっている。【００１９】  本考案の上記雨傘ホルダーは、前記傘押え部の端部及び前記接合部本体の裏面側を接着剤又は縫着することにより鞄等の底部に剥がれにくいように固着している。【００２０】  本考案で使用する傘押え部本体２と該本体と接合する接合部本体３の素材としては、雨水に対応可能な素材であれば全て使用可能であるが、巻付ける関係から弾力性のある素材が好ましい。
【図面の簡単な説明】
【００２１】
【図１】本考案の鞄用雨傘ホルダーを鞄底部取付けた状態を説明する説明図である。
【図２】図１における鞄用雨傘ホルダーの不使用時の状態を説明する断面図である。
【図３】図１における鞄用雨傘ホルダーの使用時の状態を説明する断面図である。
【図４】本考案の鞄用雨傘ホルダーを鞄に取付けた使用状態を説明する説明図である。
【符号の説明】
【００２２】１・・・鞄底部
２・・・傘押え部本体
３・・・接合部本体
４・・・傘押え部本体固着部
５・・・傘押え部本体接合部
６・・・接合受け部
７・・・雨傘
８・・・鞄用雨傘ホルダー
９・・・鞄類
【図１】
0003102724.tif 000003
【図２】
0003102724.tif 000004
【図３】
0003102724.tif 000005
【図４】
0003102724.tif 000006